(57)【要約】【課題】強制制御状態においても特定の操作端末器を用いて負荷を制御することができる遠隔監視制御システムを提供する。【解決手段】特定の操作端末器（例えば、液晶操作端末器５）のスイッチを操作することによって特別制御の監視データが伝送制御装置１に伝送される。伝送制御装置１の制御部１０では強制制御モードで動作している場合においても、強制制御モードの動作中に特別制御の監視データを受け取ったときは当該特別制御の監視データに対応した制御データを生成して制御端末器３に伝送する。故に、強制制御状態においても特定の操作端末器（液晶操作端末器５）を用いて負荷Ｌを制御することができる。【選択図】        図１
2011015072.tif 000002
【特許請求の範囲】
【請求項１】
スイッチの操作状態を監視するとともに当該スイッチが操作されたときに監視データを伝送する複数の操作端末器と、制御データを受け取ったときに当該制御データに応じて負荷を制御する１乃至複数の制御端末器と、信号線により各操作端末器並びに制御端末器と接続され、アドレスにより個々の操作端末器及び制御端末器を識別し信号線を介して監視データ並びに制御データを伝送する伝送制御装置とを有し、
伝送制御装置は、操作端末器から伝送される監視データに基づいて何れかの負荷を制御する制御データを生成するとともに当該監視データの送信元である操作端末器に対応した制御端末器に対して前記制御データを伝送する通常モードと、強制制御開始の監視データに応じた制御データを制御端末器に伝送してから強制制御解除の監視データを受け取るまでの間は特別制御の監視データを除く全ての監視データに対応した制御データの生成を中止する強制制御モードとを択一的に切り換えて動作し、
複数の操作端末器の内の少なくとも何れか１つの操作端末器は、スイッチが操作されたときに前記特別制御の監視データを伝送制御装置に対して伝送することを特徴とする遠隔監視制御システム。
【請求項２】
予め決められた１乃至複数のスイッチの何れかが操作されたときに当該スイッチの操作状態を監視している操作端末器が前記特別制御の監視データを伝送制御装置に対して伝送することを特徴とする請求項１記載の遠隔監視制御システム。
【請求項３】
特別制御の制御コマンドを送信する外部端末器と、外部端末器から送信される特別制御の制御コマンドを前記特別制御の監視データに変換するとともに変換した当該監視データを信号線を介して伝送制御装置に対して伝送するインタフェース装置とを有することを特徴とする請求項１又は２記載の遠隔監視制御システム。
【発明の詳細な説明】
【技術分野】
【０００１】
本発明は、負荷の動作を遠隔から制御及び監視する遠隔監視制御システムに関するものである。
【背景技術】
【０００２】
従来より、負荷制御用として、図６に示すような構成の遠隔監視制御システムが提供されている（例えば、特許文献１参照）。この遠隔監視制御システムでは、伝送制御装置１に接続された２線式の信号線Ｌｓに複数台ずつの操作端末器２および制御端末器３が分岐接続（マルチドロップ接続）されている。各操作端末器２および各制御端末器３には、それぞれ固有のアドレスが設定され、伝送制御装置１はそれらのアドレスを用いて操作端末器２および制御端末器３を個別に認識する。操作端末器２は例えばスイッチＳを備え、制御端末器３には負荷Ｌが接続される。また、操作端末器２には負荷Ｌの動作状態を確認するための表示素子（発光ダイオード）よりなる確認灯２ａ，２ｂが設けられている。負荷Ｌはとくに制限されないが、照明負荷を用いることが多い。
【０００３】
伝送制御装置１は信号線Ｌｓに対して、図７（ａ）に示すフォーマットの伝送信号Ｖｓを送出する。すなわち、信号送出開始を示す同期信号ＳＹ、伝送信号Ｖｓのモードを示すモードデータＭＤ、操作端末器２や制御端末器３を各別に呼び出すためのアドレスデータＡＤ、負荷Ｌを制御する制御データＣＤ、伝送誤りを検出するためのチェックサムデータＣＳ、操作端末器２や制御端末器３からの返送信号（監視データ）を受信するタイムスロットである信号返送期間ＷＴよりなる双極性（±２４Ｖ）の時分割多重信号であり、パルス幅変調によってデータが伝送されるようになっている（図７（ｂ））。各操作端末器２および各制御端末器３では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００４】
伝送制御装置１から所望の操作端末器２や制御端末器３にデータを伝送する場合には、モードデータＭＤを制御モードとし、操作端末器２または制御端末器３のアドレスをアドレスデータＡＤとする伝送信号Ｖｓを送出し、この伝送信号Ｖｓを信号線Ｌｓに送出すれば、アドレスデータＡＤに一致する操作端末器２または制御端末器３が制御データＣＤを受け取り、信号返送期間ＷＴに監視データを返送する。伝送制御装置１では送出した制御データＣＤと信号返送期間ＷＴに受信した監視データとの関係によって制御データＣＤが所望の操作端末器２または制御端末器３に伝送されたことを確認する。制御端末器３は受け取った制御データＣＤに従って負荷Ｌを制御するための負荷制御信号を出力し、操作端末器２では受け取った制御データＣＤに従って負荷Ｌの動作確認表示を行なうための監視信号を出力する。
【０００５】
一方、伝送制御装置１は常時はモードデータＭＤをダミーモードとした伝送信号Ｖｓを一定時間間隔で送出しており、操作端末器２が伝送制御装置１に対して何らかの情報を伝送しようとするときには、ダミーモードの伝送信号Ｖｓの同期信号ＳＹに同期させて図７（ｃ）のような割込信号を発生させる。このとき、操作端末器２は割込フラグを設定して伝送制御装置１との以後の情報授受に備える。伝送制御装置１では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器２では、割込ポーリングモードの伝送信号のアドレスデータＡＤの上位４ビットが操作端末器２に設定されているアドレスの上位４ビットに一致するときに、信号返送期間ＷＴにアドレスの下位の半数のビットを伝送制御装置１に返送する。このように、伝送制御装置１は割込信号を発生した操作端末器２を１６個ずつまとめて探すので、比較的短い時間で操作端末器２を発見することができる。
【０００６】
伝送制御装置１が割込信号を発生した操作端末器２のアドレスを獲得すると、モードデータＭＤを監視モードとし、獲得したアドレスデータＡＤを持つ伝送信号を信号線Ｌｓに送出するのであって、この伝送信号に対して操作端末器２は伝送しようとする情報を信号返送期間ＷＴに返送するのである。最後に、伝送制御装置１は割込信号を発生した操作端末器２に対して割込リセットを指示する信号を送出し、操作端末器２の割込フラグを解除する。以上のようにして、操作端末器２から伝送制御装置１への情報伝送は、伝送制御装置１から操作端末器２への４回の信号伝送（ダミーモード、割込ポーリングモード、監視モード、割込リセット）によって完了する。伝送制御装置１が所望の制御端末器３の動作状態を知ろうとするときには、モードデータＭＤを監視データとした伝送信号を送出するだけでよい。
【０００７】
上述の動作を簡単にまとめる。まず、操作端末器２に対してスイッチＳによる入力データが発生すると、入力データに対応した監視データを伝送制御装置１に返送し、伝送制御装置１が制御端末器３に制御データＣＤを伝送すると、制御端末器３は負荷制御信号を出力して負荷Ｌを制御する。ここで、制御端末器３には負荷監視入力が与えられ、負荷監視入力に対応する監視データを伝送制御装置１に返送し、返送された監視データを操作端末器２に伝送する。この伝送信号によって操作端末器２では監視信号を出力する。監視出力は通常は確認灯の点灯・消灯に用いられる。また、操作端末器２は最大４回路のスイッチＳを備え、制御端末器３は最大４回路の負荷Ｌが制御可能であって、操作端末器２および制御端末器３には各スイッチＳや負荷Ｌを個別に認識するために２ビットの負荷番号が付加されている。以下では、上述した操作端末器２ないし制御端末器３のアドレスをチャンネルと呼び、チャンネルと負荷番号とをまとめてアドレスと呼ぶことにする。つまり、各スイッチＳや各負荷Ｌに個別のアドレスが付与されていることになる。
【０００８】
ところで、この種の遠隔監視制御システムでは、スイッチＳと負荷Ｌとのアドレスの対応関係を伝送制御装置１で管理しているから、伝送制御装置１において１回路のスイッチＳのアドレスに対して複数回路の負荷Ｌのアドレスを対応付けておけば、１回路のスイッチＳで複数回路の負荷Ｌを一括して制御することが可能である。このような一括制御にはグループ制御とパターン制御とがある。グループ制御では複数の負荷を同じ制御状態に制御し、パターン制御では複数の負荷をあらかじめ設定した制御状態に制御する。グループ制御やパターン制御を行なう一括制御用操作端末器（図示せず）のスイッチには一括制御用として定められているアドレスが対応付けられるが、他の構成は他の操作端末器と同様のものである。
【０００９】
上述のように、一括制御（パターン制御又はグループ制御）を行なうためには伝送制御装置１において一括制御用操作端末器のスイッチのアドレスに複数回路の負荷Ｌのアドレスを対応付けて登録しておく必要があり、この種の設定操作をパターン設定及びグループ設定と称している。なお、以下では、パターン制御用操作端末器に設けたスイッチをパターンスイッチと呼び、グループ制御用操作端末器（図示せず）に設けたスイッチをグループスイッチと呼び、操作端末器２に設けたスイッチＳを個別スイッチと呼ぶ。
【００１０】
ここで、上記従来例においては、個別制御、パターン制御、グループ制御、調光制御の４通りの制御が選択可能であって、操作端末器２並びに制御端末器３に設定される固有のアドレスには各端末器２，３が何れの制御用のものであるかを識別する符号が含まれている。さらに、個別制御用のアドレスには０ｃｈ〜６３ｃｈの６４通りのチャンネルと４つの負荷番号（１，２，３，４）の組み合わせからなる２５６通りのアドレス（個別アドレス）、パターン制御用には１〜７２までのパターン番号からなる７２通りのアドレス（パターンアドレス）、グループ制御用には１〜１２７までのグループ番号からなる１２７通りのアドレス（グループアドレス）、調光制御用には０ｃｈ〜１５ｃｈの１６通りのアドレス（調光アドレス）がそれぞれ設定可能であって、例えば、個別制御においては対応する操作端末器２と制御端末器３とに同一の個別アドレスを設定し、パターン制御やグループ制御においては対応する一括制御用操作端末器と制御端末器３とに同一のパターンアドレス若しくはグループアドレスを関係データとして設定することで個別制御、パターン制御、グループ制御が可能となる。
【００１１】
ところで、上述した遠隔監視制御システムがテナントビルや商業施設に設置される場合において、不特定多数の人が操作可能な場所に設置されている操作端末器２のスイッチＳが不用意に操作されて負荷Ｌの動作が停止してしまう（例えば、照明負荷が消灯してしまう）といった不具合の生じる虞がある。そのために従来は、信号線Ｌｓに接続された強制パターン保持端末器４から接点２００がオンしたときに生成される監視データを伝送制御装置１が受け取ると、伝送制御装置１は所定のパターンアドレスに対応するパターン制御を実行した後、他の操作端末器２から伝送される監視データを無視して強制的に前記パターン制御の状態を保持するようにしていた（例えば、特許文献２参照）。すなわち、強制パターン保持端末器４に接続されている接点２００がオンしている間は全ての操作端末器２におけるスイッチＳの操作が無効になるから、不特定多数の人による操作端末器２の誤操作を防ぐことができる。
【先行技術文献】
【特許文献】
【００１２】
【特許文献１】特開２００３−９２６０号公報
【特許文献２】特開２００７−１７４８３７号公報（段落０００５〜０００７及び図７参照）
【発明の概要】
【発明が解決しようとする課題】
【００１３】
しかしながら、上記従来例では強制パターン保持端末器４によって強制制御されている間、全ての操作端末器２のスイッチＳによる操作が無効になってしまうため、例えば、テナントビルや商業施設に設置された場合に管理室に設置されている操作端末器２で負荷Ｌを制御するためには、一旦、接点２００をオフして強制制御状態を解除しなければならず、非常に使い勝手の悪いものであった。
【００１４】
本発明は上記事情に鑑みて為されたものであり、その目的は、強制制御状態においても特定の操作端末器を用いて負荷を制御することができる遠隔監視制御システムを提供することにある。
【課題を解決するための手段】
【００１５】
請求項１の発明は、上記目的を達成するために、スイッチの操作状態を監視するとともに当該スイッチが操作されたときに監視データを伝送する複数の操作端末器と、制御データを受け取ったときに当該制御データに応じて負荷を制御する１乃至複数の制御端末器と、信号線により各操作端末器並びに制御端末器と接続され、アドレスにより個々の操作端末器及び制御端末器を識別し信号線を介して監視データ並びに制御データを伝送する伝送制御装置とを有し、伝送制御装置は、操作端末器から伝送される監視データに基づいて何れかの負荷を制御する制御データを生成するとともに当該監視データの送信元である操作端末器に対応した制御端末器に対して前記制御データを伝送する通常モードと、強制制御開始の監視データに応じた制御データを制御端末器に伝送してから強制制御解除の監視データを受け取るまでの間は特別制御の監視データを除く全ての監視データに対応した制御データの生成を中止する強制制御モードとを択一的に切り換えて動作し、複数の操作端末器の内の少なくとも何れか１つの操作端末器は、スイッチが操作されたときに前記特別制御の監視データを伝送制御装置に対して伝送することを特徴とする。
【００１６】
請求項１の発明によれば、伝送制御装置が強制制御モードで動作している場合においても、特定の操作端末器が監視するスイッチを操作することによって特別制御の監視データが伝送制御装置に伝送され、伝送制御装置では強制制御モードの動作中に特別制御の監視データを受け取ったときは当該特別制御の監視データに対応した制御データを生成して制御端末器に伝送するので、強制制御状態においても特定の操作端末器を用いて負荷を制御することができる。
【００１７】
請求項２の発明は、請求項１の発明において、予め決められた１乃至複数のスイッチの何れかが操作されたときに当該スイッチの操作状態を監視している操作端末器が前記特別制御の監視データを伝送制御装置に対して伝送することを特徴とする。
【００１８】
請求項２の発明によれば、操作端末器が複数のスイッチの操作状態を監視している場合においては複数のスイッチの内の何れかのスイッチのみを特別制御の監視データと対応付けることができて使い勝手が向上する。
【００１９】
請求項３の発明は、請求項１又は２の発明において、特別制御の制御コマンドを送信する外部端末器と、外部端末器から送信される特別制御の制御コマンドを前記特別制御の監視データに変換するとともに変換した当該監視データを信号線を介して伝送制御装置に対して伝送するインタフェース装置とを有することを特徴とする。
【００２０】
請求項３の発明によれば、例えば、外部端末器がコンピュータネットワークと接続されるものであれば、当該コンピュータネットワークを介して伝送制御装置に特別制御の監視データを伝送することができてシステムを容易に拡張することができる。
【発明の効果】
【００２１】
本発明によれば、強制制御状態においても特定の操作端末器を用いて負荷を制御することができる。
【図面の簡単な説明】
【００２２】
【図１】本発明の実施形態１を示すシステム構成図である。
【図２】同上における伝送制御装置のブロック図である。
【図３】同上における液晶操作端末器のブロック図である。
【図４】同上における特別制御の動作を説明するためのシーケンスチャートである。
【図５】本発明の実施形態２を示すシステム構成図である。
【図６】従来例を示すシステム構成図である。
【図７】伝送信号の説明図である。
【発明を実施するための形態】
【００２３】
（実施形態１）
本実施形態のシステム構成図を図１に示す。尚、本実施形態は、操作端末器の一種である液晶操作端末器５を有する点を除いて従来例と共通のシステム構成を有しているので、従来例と共通の構成要素については同一の符号を付して適宜図示並びに説明を省略する。
【００２４】
まず、液晶操作端末器５について説明する。液晶操作端末器５は、図３に示すように、液晶表示器にバックライトを一体化した表示パネル５０と、表示パネル５０の画面（前面）に重ねて配置された透明な板状のタッチスイッチからなる操作入力部（操作入力受付手段）５１とを備えている。表示パネル５０には多数の画素を縦横にマトリクス状に配列したマトリクス表示型のものを用い、画素の組み合わせによって図形を表示するようになっている。操作入力部５１は、透明なシート状部材に透明電極からなる接点部を多数個配列し、シート状部材に指などが触れた際にどの部位に触れたのかを出力する抵抗感圧方式のタッチスイッチであり、表示パネル５０と共にタッチパネルディスプレイを構成する。
【００２５】
この液晶操作端末器５は、伝送制御装置１に接続された信号線Ｌｓに接続され伝送信号を授受する多重伝送回路５２を備えている。多重伝送回路５２はメインマイコン５４に接続され、メインマイコン５４は、液晶操作端末器５の内蔵メモリとして設けられたフラッシュメモリ５５に書き込まれているプログラムおよびデータに従って動作する。フラッシュメモリ５５には少なくとも液晶操作端末器５としてのアドレスが書き込まれる。
【００２６】
メインマイコン５４は、表示パネル５０の表示内容を指示するデータをラッチ回路５６を通して液晶コントローラ５７に出力する。液晶コントローラ５７は、ＤＲＡＭ６１に予め登録してあるデータを用いて表示パネル５０の所定位置に所定の内容を表示する。なお、表示パネル５０のコントラストやバックライトの明るさは、メインマイコン５４がコントラスト調整部５８やバックライト用インバータ回路５９を制御することによって自動的に調節される。さらに、メインマイコン５４は操作入力部５１の操作に応じてブザー６０を鳴動させる機能を有している。
【００２７】
また、液晶操作端末器５の器体６２には、リモコントランス１４０から電源供給を受けるための電源線が接続される電源端子部Ｔ１と、信号線Ｌｓが接続される信号端子部Ｔ２とが設けられている。電源端子部Ｔ１は電源回路５３に接続されており、この電源回路５３は電源端子部Ｔ１を介して給電される商用交流電源から内部回路の動作電源（直流電源）を作成している。
【００２８】
ところで、従来の操作端末器２は押釦スイッチによってスイッチＳの操作入力を受け付る構成であったため、１台の操作端末器２が備えるスイッチＳの個数は最大で４個程度であった。これに対して本実施形態の液晶操作端末器５では、操作入力を受け付ける操作入力部５１が表示パネル５０と共にタッチパネルディスプレイを構成しており、表示パネル５０に表示される図形ないし文字と操作入力部５１との組み合わせによって５個以上のスイッチを持つことが可能である。但し、制御対象である全ての負荷Ｌと対応する多数のスイッチを一画面内に同時に表示するには大きな画面サイズの表示パネル５０が必要になり、高価になるとともに全体が大型化することになる。そこで、一画面内に同時に表示するスイッチの個数を比較的に少なくし、それぞれに異なるスイッチが同時に表示される複数の画面を切り換えることで表示パネル５０の画面サイズを小型化している。
【００２９】
図２は本実施形態における伝送制御装置１のブロック図を示している。伝送制御装置１は、図２に示すようにマイコンよりなる制御部１０を備え、制御部１０はフラッシュメモリ１１に書き込まれたプログラムに従って動作する。また、制御部１０には伝送信号送受信部１２を介して信号線Ｌｓが接続される。さらに、操作端末器２（液晶操作端末器５を含む。以下同じ。）や制御端末器３のアドレス並びにスイッチＳと負荷Ｌの対応関係に関するデータ（関係データ）を保持するためのフラッシュメモリ１３、負荷Ｌの動作状態などを格納するＲＡＭ１４を備える。さらに、信号線Ｌｓの短絡を検出して表示するために信号線短絡検出／表示部１５が設けられる。制御部１０はマイコンよりなるから、クロック信号を発生するための発振回路１６、電源投入時に初期化するためのリセット回路１７、電源回路１８も備えている。
【００３０】
ここで、伝送制御装置１の制御部１０は２種類の動作状態を択一的に選択して動作している。一つは、従来技術で説明したように何れかの操作端末器２から伝送される監視データに基づいて何れかの負荷Ｌを制御する制御データを生成するとともに前記関係データに応じて当該監視データの送信元である操作端末器２に対応した制御端末器３に対して前記制御データを伝送する動作モード（以下、「通常モード」と呼ぶ。）であり、もう一つは、強制パターン保持端末器４から伝送される強制制御開始の監視データに応じた制御データを制御端末器３に伝送してから強制パターン保持端末器４より強制制御解除の監視データを受け取るまでの間、特別制御の監視データ（後述する）を除く全ての監視データに対応した制御データの生成を中止する動作モード（以下、「強制制御モード」と呼ぶ。）である。但し、通常モード並びに強制制御モードについては従来技術でも説明したように従来周知であるから詳細な説明を省略し、本発明の要旨である強制制御モード時の特別制御について説明する。
【００３１】
ここで、本実施形態において使用するアドレスについてさらに詳しく説明する。従来技術で説明したようにアドレスには２５６通りの個別アドレス、７２通りのパターンアドレス、１２７通りのグループアドレス、１６通りの調光アドレスなどの多数の種類があるため、従来は４ビットのページデータと８ビットのアドレスデータでアドレスを構成している。但し、従来は全てのアドレス（ページデータ：４ビット＋アドレスデータ：８ビット）が使用されているわけではなく、将来の機能拡張等に備えた未使用のアドレスが確保されている。
【００３２】
そこで本実施形態においては、上記未使用のアドレスの一部を特別制御のためのアドレスに使用することにより、伝送制御装置１のハードウェアを変更せずに制御部１０で実行するソフトウェアの一部の変更のみで対応できるという利点がある。例えば、本実施形態ではページアドレス：Ｆｈとアドレスデータ：２０ｈ〜２Ｆｈを組み合わせたアドレスを特別制御用のアドレスに割り当てている。したがって、伝送制御装置１の制御部１０では、強制制御モードの動作中に特別制御用のアドレスが割り当てられた操作端末器から特別制御の監視データを受け取った場合、当該特別制御の監視データに対応した制御データを生成するとともに特別制御用のアドレスとの対応関係が設定されている制御端末器３に対して前記特別制御の制御データを伝送するのである。
【００３３】
ここで、特別制御用のアドレスは操作端末器２毎に割り付けることも可能であるし、液晶操作端末器５のように多数のスイッチを有する操作端末器２に対して一部のスイッチにのみ特別制御用のアドレスを割り付けることも可能である。但し、操作端末器２（液晶操作端末器５を含む。）に対して特別制御用のアドレスを割り付ける手順（アドレス設定手順）については、従来の個別アドレスやグループアドレスなどの設定手順と同様に実施できる。例えば、液晶操作端末器５の場合、各スイッチ毎にアドレスを設定するメニュー画面において特別制御用のアドレスを割り当てればよいし、あるいは別のメニュー画面において全てのスイッチに対して一括して特別制御用のアドレスを割り当てても構わない。
【００３４】
次に、伝送制御装置１の制御部１０が強制制御モードで動作している場合において、特別制御用のアドレスが割り当てられた液晶操作端末器５との間で伝送信号を授受することにより負荷Ｌを制御（特別制御）する際の動作を、図４のシーケンスチャートを参照しながら説明する。
【００３５】
まず、液晶操作端末器５のスイッチの内で特別制御用のアドレスが割り付けられたスイッチが操作されると、液晶操作端末器５から伝送制御装置１に対して割込要求（割込信号の送信）が行われる（１）。割込要求を受けた伝送制御装置１の制御部１０がＭＤＰ２（割込ポーリング）の伝送信号を送信して割込要求元のアドレスを検索するので（２）、液晶操作端末器５から特別制御用のアドレス（例えば、ページデータがＦｈ、アドレスデータが２０ｈのアドレス＜Ｆ２０ｈ＞）が伝送制御装置１に対して返信される（３）。割込要求元のアドレス（今の場合は特別制御用のアドレス＜Ｆ２０ｈ＞）を獲得した伝送制御装置１の制御部１０は、制御内容を確認するためにＭＤＭ２（制御要求ページ監視）の伝送信号を割込要求元のアドレス（Ｆ２０ｈ）に宛てて送信する（４）。ＭＤＭ２（制御要求ページ監視）の伝送信号を受け取った液晶操作端末器５では、特別制御用のページデータ（Ｆｈ）を伝送制御装置１に返信する（５）。このページデータを受け取った伝送制御装置１の制御部１０は、特別制御要求のページデータ（Ｆｈ）を受け取ったことを通知するためにＭＤＣＴ（制御モードのアンサーバック）の伝送信号を送信する（６）。このＭＤＣＴを受け取った液晶操作端末器５からは同一のページデータが返信（エコーバック）される（７）。尚、割込要求元のアドレスが特別制御用のアドレスではなかった場合、伝送制御装置１の制御部１０では、ＭＤＭ２に対して返信される割込要求元のページデータが特別制御用のページデータと一致しないことを確認した後、これ以降の処理を中止する。
【００３６】
次に伝送制御装置１の制御部１０は、特別制御の要求元のアドレスを確認するためにＭＤＭ２（制御要求ページ監視）の伝送信号をアドレス（Ｆ２１ｈ）に宛てて送信する（８）。一方、特別制御の要求元である液晶操作端末器５では、ＭＤＣＴを受け取った後は特別制御用のアドレスを割込要求時のアドレスＦ２０ｈと異なる別のアドレス（Ｆ２１ｈ）に変更しており、したがって、伝送制御装置１からアドレス（Ｆ２１ｈ）宛てに送信されたＭＤＭ２の伝送信号を受信して変更後のアドレス（Ｆ２１ｈ）を伝送制御装置１に返信する（９）。このアドレス（Ｆ２１ｈ）を受け取った伝送制御装置１の制御部１０は、ＭＤＣＴ（制御モードのアンサーバック）の伝送信号をアドレス（Ｆ２２ｈ）に宛てて送信する（１０）。一方、特別制御の要求元である液晶操作端末器５では、変更後のアドレス（Ｆ２１ｈ）を伝送制御装置１に返信した後、特別制御用のアドレスを再度別のアドレス（Ｆ２２ｈ）に変更しており、したがって、伝送制御装置１からアドレス（Ｆ２２ｈ）宛てに送信されたＭＤＣＴの伝送信号を受信して変更後のアドレス（Ｆ２２ｈ）を伝送制御装置１に返信（エコーバック）する（１１）。これ以降、伝送制御装置１の制御部１０と特別制御の要求元である液晶操作端末器５との間では確定した特別制御用のアドレス（Ｆ２２ｈ）を用いて特別制御の監視データ等が授受される。そして、伝送制御装置１の制御部１０では、液晶操作端末器５から受け取った特別制御の監視データに基づいて何れかの負荷Ｌを制御するための制御データを生成し、生成した制御データを制御端末器３に電送するのである。尚、特別制御の監視データは通常モードにおける監視データと共通である。
【００３７】
ここで、本実施形態においては複数の操作端末器２で特別制御用のアドレスを共用しているので、複数の操作端末器２から特別制御用の監視データが同時に送信された場合に互いに競合してしまう虞がある。そのために本実施形態では、上述したように特別制御の監視データを授受する過程で特別制御用のアドレスを順次変更することによって複数の操作端末器２から特別制御用の監視データが同時に送信された場合の競合を回避している。
【００３８】
而して本実施形態によれば、伝送制御装置１の制御部１０が強制制御モードで動作している場合においても、特定の操作端末器（本実施形態では液晶操作端末器５）のスイッチを操作することによって特別制御の監視データが伝送制御装置１に伝送され、伝送制御装置１の制御部１０では強制制御モードの動作中に特別制御の監視データを受け取ったときは当該特別制御の監視データに対応した制御データを生成して制御端末器３に伝送するので、強制制御状態においても特定の操作端末器（液晶操作端末器５）を用いて負荷Ｌを制御することができる。しかも本実施形態では、予め決められた１乃至複数のスイッチの何れかが操作されたときに当該スイッチの操作状態を監視している操作端末器が前記特別制御の監視データを伝送制御装置１に対して伝送するので、例えば、液晶操作端末器５のように複数のスイッチの操作状態を監視している場合においては複数のスイッチの内の何れかのスイッチのみを特別制御の監視データと対応付けることができて使い勝手が向上するという利点がある。
【００３９】
（実施形態２）
ところで、本発明に係る遠隔監視制御システムは、伝送制御装置１と上位のシステムとの間をインタフェースするインタフェース装置、具体的には、図５に示すようにローカルインタフェースユニット（ＬＩＵ）６、ネットワークコントロールユニット（ＮＣＵ）７、ウェブサーバユニット（ＷＳＵ）８を利用することにより、例えば、インターネットやイントラネットなどの外部ネットワーク（上位システム）に接続されたネットワーク端末（パーソナルコンピュータなど）から負荷Ｌの監視並びに制御を行うことが可能である（例えば、特開２００５−２１７５５０号公報参照）。
【００４０】
ＬＩＵ６は、信号線Ｌｓを介して伝送制御装置１との間で伝送信号を送受信することで操作端末器として機能するとともに、専用線Ｌｔを介してＮＣＵ７との間でＲＳ４８５の規格に準拠したシリアル伝送を行って遠隔監視制御システムの時分割多重伝送とシリアル伝送とをインタフェースする機能も有している。またＮＣＵ７は、専用線Ｌｔを介してＬＩＵ６との間でＲＳ４８５の規格に準拠したシリアル通信を行う機能と、通信線Ｌｕを介してＷＳＵ８との間でＲＳ２３２の規格に準拠したシリアル通信を行う機能と、両規格のシリアル通信をインタフェースする機能とを有している。ＷＳＵ８は、通信線Ｌｕを介してＮＣＵ７との間でＲＳ２３２の規格に準拠したシリアル通信を行う機能と、より対線からなるＬＡＮケーブルを介して10BASE-Tや100BASE-TXなどの規格に準拠したパケット通信を行う機能と、シリアル通信とパケット通信をインタフェースする機能とを有している。ここで、ＷＳＵ８をＬＡＮケーブルでＯＮＵやＤＳＬモデムなどに接続することにより、ウェブブラウザを搭載したパーソナルコンピュータのようなネットワーク端末（外部端末器）９からインターネットを介してＷＳＵ８にアクセスし、ＷＳＵ８とＮＣＵ７とＬＩＵ６を通して伝送制御装置１との間で監視データ等を授受することができる（図５参照）。
【００４１】
本実施形態においては、ＷＳＵ８との間でネットワーク通信を行うネットワーク端末９から特別制御用の制御コマンドが送信されると、ＷＳＵ８が当該特別制御用の制御コマンドを特別制御用以外の通常の制御コマンドと同様の手順でＮＣＵ７に転送し、さらにＮＣＵ７からＬＩＵ６へ前記特別制御用の制御コマンドが転送される。そして、ＬＩＵ６では特別制御用の制御コマンドを特別制御用の監視データに変換するとともに、実施形態１で説明した液晶操作端末器５と同様に伝送制御装置１との間で特別制御用のアドレスを用いて特別制御用の監視データを伝送制御装置１に伝送する。故に、伝送制御装置１の制御部１０が強制制御モードで動作しているときにおいても、ネットワーク端末９を用いた負荷Ｌの特別制御を行うことができる。但し、通常制御のコマンドと特別制御のコマンドは同一のフォーマットを有して一部の値のみを異なせるようにすればよい。
【００４２】
而して本実施形態によれば、特別制御の制御コマンドを送信する外部端末器（例えば、パーソナルコンピュータからなるネットワーク端末）９と、外部端末器９から送信される特別制御の制御コマンドを前記特別制御の監視データに変換するとともに変換した当該監視データを信号線Ｌｓを介して伝送制御装置１に対して伝送するインタフェース装置（ＷＳＵ８，ＮＣＵ７，ＬＩＵ６）とを有するので、インターネットやイントラネットなどのコンピュータネットワークを介して伝送制御装置１に特別制御の監視データを伝送することができてシステムを容易に拡張することができるという利点がある。
【符号の説明】
【００４３】
１  伝送制御装置
２  操作端末器
３  制御端末器
５  液晶操作端末器
Ｌ  負荷
【図１】
2011015072.tif 000003
【図２】
2011015072.tif 000004
【図３】
2011015072.tif 000005
【図４】
2011015072.tif 000006
【図５】
2011015072.tif 000007
【図６】
2011015072.tif 000008
【図７】
2011015072.tif 000009